(57)【要約】      （修正有）【課題】風化を防止し、且つコンクリートの中性化を防止することができる石材又はコンクリートからなる構造物を提供する。【解決手段】亀甲墓、破風墓等の石材又はコンクリート構造物に、珪酸化合物、水、アクリル樹脂系バインダー材からなる二酸化炭素吸収組成物含有無機質塗料を塗布し内部に浸透させることで、石材又はコンクリート層の内部にガラス質の被膜を形成させ、水をコンクリート等から遮断する。【選択図】図１
0003160385.tif 000002
【実用新案登録請求の範囲】
【請求項１】
珪酸化合物、水、アクリル樹脂系バインダー材からなる二酸化炭素吸収組成物含有無機質塗料を塗布し内部に浸透させたことを特徴とする石材又はコンクリート構造物。
【請求項２】
前記構造物が、石材又はコンクリートからなる墓又は納骨堂である請求項１の構造物。
【考案の詳細な説明】
【技術分野】
【０００１】  本考案は、石材又はコンクリートからなる墓、特に沖縄地方に建立される、亀甲墓、破風墓等の改良に関するものである。
【背景技術】
【０００２】  墓は屋外に建立されているものであり、風雨に晒され、紫外線を浴びることから表面の風化が進むことは知られている。特に沖縄地方に建立されている墓、即ち亀甲墓、破風墓等は毎年のように台風の激しい暴風雨に晒され、また強い紫外線を浴びている。特に沖縄の古いこのような墓は、トラバーチン（多孔質石灰岩）で作られているが多孔質であるがゆえに内部に水が浸透しやすい。近年トラバーチンからコンクリート製に代わり、最近では御影石等の石材製に代わっているが、トラバーチン製からコンクリート製そして石材製とかわっても風雨に晒され、強い紫外線を浴びることにかわりはない。【０００３】  コンクリートは、アルカリ性の強固な物室で、その表面は絶えず雨水にさらされ、空気中の湿気、大気中に含まれている炭酸ガス、酸性の排気ガス、海水の塩分、酸性雨等と接触していて酸化されるのでコンクリートは中性化されてしまい、脆い物質になってしまう。アルカリ性を失ったコンクリート内部の鉄筋は容易に酸化されて発錆し、膨張してコンクリートを破裂させてしまうので、コンクリート構造物等の強度を著しく低下させてしまうという問題があった。酸化されて中和されたコンクリート成分は水に溶けやすく、雨水に溶けてコンクリートから流出してしまうので、やがてコンクリートは徐々に痩せ細り、最終的にはコンクリート構造物自体が崩壊する危険性がある。このように、コンクリートが酸性の物質によって酸化される現象を「コンクリートの中性化」と言われる。【０００４】  コンクリートの中性化を防止するためには、もっとも効果的な方法として、水をコンクリートから遠ざけるという方法がある。水は酸性物質を酸化剤として作用させるために必要不可欠な溶媒であるので、水なしではいかなる酸製剤も酸として作用しない。コンクリートと水を隔離させておくために、従来ではコンクリートにペンキや撥水剤を塗布する方法が行われていたが、ペンキや撥水剤は石油を原料とする製品で、合成樹脂製品であるから、太陽熱、紫外線等で破壊される傾向があって、恒久的に性能を継続させることは困難であった。即ち、ペンキや撥水剤等の塗料が老化してしまうので、水をコンクリートから隔離しておけるという性能は比較的短時間で消滅してしまうという結点があった。【０００５】  石材においても、やはり風雨にさらされ、紫外線を浴びているうちに風化が進み表面が脆くなるという問題があった。
【考案の開示】
【考案が解決しようとする課題】
【０００６】  解決しようとする問題点は、石材又はコンクリートからなる構造物の風化を防止し、且つコンクリートの中性化を防止することが課題である。
【課題を解決するための手段】
【０００７】  本考案は、亀甲墓、破風墓等の石材又はコンクリート構造物に、珪酸化合物、水、アクリル樹脂系バインダー材からなる二酸化炭素吸収組成物含有無機質塗料を塗布し内部に浸透させることで、石材又はコンクリート層の内部にガラス質の被膜を形成させ、水をコンクリート等から遮断するようにすることを問題を解決するための手段としている。
【考案の効果】
【０００８】  本考案は、亀甲墓、破風墓等の石材又はコンクリート構造物等に、珪酸化合物、水、アクリル樹脂系バインダー材からなる二酸化炭素吸収組成物含有無機質塗料を塗布し内部に浸透させたことを特徴とするものであるから、従来この種の敷設材においては、石材は風雨、紫外線にさらされることにより風化し、またコンクリートは空気中の湿気、大気中に含まれている炭酸ガス、酸性の排気ガス、海水の塩分、酸性雨等と接触していて酸化されるのでコンクリートは中性化されてしまっていたが、珪酸化合物、水、アクリル樹脂系バインダー材からなる二酸化炭素吸収組成物含有無機質塗料を塗布し内部に浸透させているので、二酸化炭素吸収組成物は、上述の珪酸化合物、水、アクリル樹脂系バインダー材を混練して生成される。生成された二酸化炭素吸収組成物は、硬化する過程で二酸化炭素を吸収しながら、重合珪酸として形成される、即ち、石材又はコンクリート層の内部にガラス質の被膜を形成させ、水をコンクリート等から遮断することでこれらの問題が解決される等、顕著なる実用的効果を有するものである。
【考案を実施するための最良の形態】
【０００９】  珪酸化合物、水、アクリル樹脂系バインダー材からなる二酸化炭素吸収組成物含有無機質塗料を塗布し内部に浸透させたことを特徴とする石材又はコンクリート構造物を呈セントするものである。
【実施例１】
【００１０】  図１は沖縄地方に建立される亀甲墓、図２は同じく破風墓であり、コンクリート、石材により形成されている。図３は石材により形成されている洋墓である。当該洋墓は国内に広く建立されているものであるが、最も広く建立されているものには長四角形の拝石を有する和墓がある。石材構造物には、そのほかにも記念碑等がある。【００１１】  前記石材、コンクリート構造物、例えば亀甲墓、破風墓、和墓等に下記に説明する珪酸化合物、水、アクリル樹脂系バインダー材からなる二酸化炭素吸収組成物含有無機質塗料を塗布している。【００１２】  二酸化炭素を吸収する二酸化炭素吸収組成物は、珪酸化合物、水、アクリル樹脂系バインダー材からなる。【００１３】  珪酸化合物とは、珪酸を化合物の一部として含有する物質を言う。例えば、珪酸ナトリウム、珪酸カリウム、珪酸カルシウム、二酸化珪素、水酸化ナトリウム珪素等があげられ、それらのうち少なくとも１種以上を用いる。二酸化炭素吸収組成物中における珪酸化合物は、１０〜５０重量％の範囲で適宜選択することができ、２５〜３０重量％の範囲でより効果的な二酸化炭素吸収組成物を得ることができる。【００１４】  水は、一般的な水道水から、ミネラルウォーターなどの天然水、蒸留水、イオン水などが挙げられ、それらのうち少なくとも１種以上を用いる。二酸化炭素吸収組成物中における水は、１０〜５０重量％の範囲で適宜選択することができ、３５〜４５重量％の範囲でより効果的な二酸化炭素吸収組成物を得ることができる。【００１５】  アクリル樹脂系バインダー材は、一般的な塗料にも用いられているアクリル樹脂系のバインダー材を用いることができる。例えば、金属化合物、有機固着材、硬化促進作用剤などが挙げられる。好ましくは、珪酸マグネシウム、珪酸アルミニウム、アルミナ、珪石、リン酸塩、ホウ酸アルミニウム、酸化亜鉛、炭酸カルシウム、ガラス粉、粘土、雲母、ガラス繊維、シリコン樹脂、フッ素樹脂などが挙げられ、それらのうち少なくとも１種以上を用いる。また、着色のために添加される顔料もバインダー材としての作用を奏するため、上記列挙したバインダー材の１種として用いることができる。二酸化炭素吸収組成物中におけるアクリル樹脂系バインダー材は、１０〜４０重量％の範囲で適宜選択することができ、３０〜３５重量％の範囲でより効果的な二酸化炭素吸収組成物を得ることができる。【００１６】  既建立の亀甲墓、破風墓等のコンクリート構造物に本考案に係る二酸化炭素吸収組成物含有無機質塗料を塗布する場合には、構造物の表面をモルタル等で補修塗りを施した後、当該撮りようを塗布している。【００１７】  二酸化炭素吸収組成物は、上述の珪酸化合物、水、アクリル樹脂系バインダー材を混練して生成される。生成された二酸化炭素吸収組成物は、硬化する過程で二酸化炭素を吸収しながら、重合珪酸として形成される。
【産業上の利用可能性】
【００１８】  本考案は、亀甲墓、破風墓等の石材又はコンクリート構造物等に、珪酸化合物、水、アクリル樹脂系バインダー材からなる二酸化炭素吸収組成物含有無機質塗料を塗布し内部に浸透させたことを特徴とするものであるから、従来この種の敷設材においては、石材は風雨、紫外線にさらされることにより風化し、またコンクリートは空気中の湿気、大気中に含まれている炭酸ガス、酸性の排気ガス、海水の塩分、酸性雨等と接触していて酸化されるのでコンクリートは中性化されてしまっていたが、珪酸化合物、水、アクリル樹脂系バインダー材からなる二酸化炭素吸収組成物含有無機質塗料を塗布し内部に浸透させているので、二酸化炭素吸収組成物は、上述の珪酸化合物、水、アクリル樹脂系バインダー材を混練して生成される。生成された二酸化炭素吸収組成物は、硬化する過程で二酸化炭素を吸収しながら、重合珪酸として形成される、即ち、石材又はコンクリート層の内部にガラス質の被膜を形成させ、水をコンクリート等から遮断することで、コンクリートの中性化を防止する等、顕著なる実用的効果を有するものであり、また塗料を塗布するだけでコンクリートの中性化を防止できる新たなる敷設材ということで産業上の利用可能性は極めて大である。
【図面の簡単な説明】
【００１９】
【図１】  亀甲墓の斜視図。
【図２】  破風墓の斜視図。
【図３】  洋墓の正面図と側面図。
【符号の説明】
【００２０】１  亀甲墓
２  破風墓
３  洋墓
【図１】
0003160385.tif 000003
【図２】
0003160385.tif 000004
【図３】
0003160385.tif 000005